(57)【要約】【課題】扉の樹脂成型部品の収縮による変形を抑制しながら、扉の外側部分において熱伝導による露付き現象が発生してしまうのを防止できる冷蔵庫を提供する。【解決手段】冷蔵庫１は、収容室を有する本体２と、収容室を閉鎖する扉３を有する冷蔵庫であって、扉３の内側に物品保持部であるポケット部６０を固定するためのスロート部５０，５１を有する樹脂成型部品３５と、扉３の内側に配置されて、ポケット部６０を固定するスロート部５０，５１に固定された補強部材７０，７１と、を有する。【選択図】図２
2014231973.tif 000002
【特許請求の範囲】
【請求項１】
収容室を有する本体と、前記収容室を閉鎖する扉を有する冷蔵庫であって、
前記扉の内側に物品保持部を固定するためのスロート部を有する樹脂成型部品と、
前記扉の内側に配置されて、前記部品保持部を固定する前記スロート部に設けられた補強部材と
を有することを特徴とする冷蔵庫。
【請求項２】
前記補強部材は、前記扉の内側のスロート部の内部に固定されていることを特徴とする請求項１に記載の冷蔵庫。
【請求項３】
前記補強部材は、前記物品保持部に物品を載せた時の前記スロート部の変形を抑制するために、上下方向に配置されていることを特徴とする請求項１または２に記載の冷蔵庫。
【発明の詳細な説明】
【技術分野】
【０００１】
本発明の実施の形態は、冷蔵庫に関する。
【背景技術】
【０００２】
従来の冷蔵庫の例は、特許文献１に開示されている。冷蔵庫を運転している時には、冷蔵庫の庫内側と冷蔵庫の外側には温度差があり、扉の庫内側は冷却されることにより、扉の庫内側の樹脂成型部品が収縮を起こす。このため、扉の庫内側と扉の外側の温度差により、扉には反り現象が発生して扉が変形することにより、扉のガスケットに隙間が生じるおそれがある。
【０００３】
この扉の反りの原因としては、上述したように扉の内側の樹脂成型部品が外側よりも低い庫内温度に影響を受けて収縮するためであり、外気に面している扉のキャップ等に金属製の補強板を固定することで、樹脂成型部品の収縮現象を抑制して扉の変形を最小限にしている。
【先行技術文献】
【特許文献】
【０００４】
【特許文献１】特許第４２６３０１８号
【発明の概要】
【発明が解決しようとする課題】
【０００５】
ところが、従来の冷蔵庫の扉の構造では、外気に面している扉のキャップ等に金属製の補強板を固定しているので、扉の外側部分の金属製の補強板における熱伝導により、いわゆる露付き現象が発生してしまうという問題がある。
【０００６】
本発明は、上記に鑑みてなされたもので、その目的とするところは、扉の樹脂成型部品の収縮による変形を抑制しながら、扉の外側部分において熱伝導による露付き現象が発生するのを防止できる冷蔵庫を提供することにある。
【課題を解決するための手段】
【０００７】
本発明の実施の形態の冷蔵庫は、収容室を有する本体と、前記収容室を閉鎖する扉を有する冷蔵庫であって、前記扉の内側に物品保持部を固定するためのスロート部を有する樹脂成型部品と、前記扉の内側に配置されて、前記部品保持部を固定する前記スロート部に設けられた補強部材と、を有することを要旨とする。
【図面の簡単な説明】
【０００８】
【図１】本発明の実施形態に係わる冷蔵庫の全体を示す斜視図である。
【図２】図１に示す冷蔵庫におけるＡ−Ａ線における観音扉の構造例を示す下向きに見た断面図である。
【図３】図２に示す観音扉をＲ方向に開けて、観音扉の内部側を示す斜視図である。
【発明を実施するための形態】
【０００９】
以下、図面を用いて、本発明の実施するための形態（以下、実施形態と称する）を説明する。
【００１０】
図１は、本発明の実施形態に係わる冷蔵庫の全体を示す斜視図である。
【００１１】
図１に示す冷蔵庫１は、本体２を有している。本体２は、正面から見て左側面部３０と、右側面部３１と、背面部３２と、上面部３３と、底面部３４を有している、本体２は、例えば金属製の板材を組み合わせて構成された外箱と、プラスチック製の板材を組み合わせて構成された内箱を有している。この外箱と内箱の間には、例えば真空断熱材等の断熱材が配置されている。
【００１２】
この本体２の最上部の位置には、両開き式の左右の観音扉３，４で開閉される冷蔵室５を設けられている。この左側の観音扉３は、左ヒンジ部３Ｈを用いて、本体２の回転軸３Ａを中心にして、開閉可能に取り付けられている。また、右側の観音扉４は、右ヒンジ部４Ｈを用いて、本体２の回転軸４Ａを中心にして、開閉可能に取り付けられている。
【００１３】
図１に示す冷蔵室５の下側には、引出し式扉７ａで開閉される野菜室７が設けられている。この野菜室７の下側には、製氷室８と、上部冷凍室９が横方向に並んで設けられている。製氷室８は引出し式扉８ａで開閉され、上部冷凍室９は引出し式扉９ａで開閉される。さらに、本体２の最下部であって、これらの製氷室８と上部冷凍室９の下側には、冷凍室１０が設けられている。冷凍室１０は、引出し式扉１０ａで開閉される。
【００１４】
図１に示すように、観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。これらの冷蔵室５、野菜室７、製氷室８、上部冷凍室９、冷凍室１０は、食品等の物品を収容するための収容室（貯蔵室）である。
【００１５】
図１に示す冷蔵庫１では、好ましくは左側の観音扉３の前面には、冷蔵庫１を操作するための操作部２０が設けられている。この操作部２０は、使用者が冷蔵庫１の動作状態の設定や変更操作をするために、例えば液晶表示装置等の各種の情報を表示するための表示部と、各種の操作スイッチを有している。使用者が指で操作部２０に触れると、操作部２０の例えば静電容量型のタッチスイッチの検出部が指を検出する。これにより、使用者は、冷蔵庫１における例えば急冷凍、急冷蔵、自動製氷装置等の機能の動作状態の設定や変更をすることができる。ただし、この操作部２０は、図１のように観音扉３の表面に配置しても良いし、他の部分に配置しても良い。
【００１６】
また、図１に示す冷蔵庫１の観音扉３，４と、引出し式扉７ａ、８ａ、９ａ、１０ａの表面には、外面の美観を向上するために、板状のガラス部材が配置されていても良い。この場合には、操作部２０は、ガラス部材の内側に配置されている。
【００１７】
図２は、図１に示す冷蔵庫１におけるＡ−Ａ線における観音扉３の構造例を示す下向きに見た断面図である。
【００１８】
図２では、本体２の左側面部３０の前側の一部分と、左側の観音扉３の断面構造例を示している。観音扉３の左側面部分３Ｎは、左側面部３０の前端部分３１に対して、回転軸３Ａを中心にして、開閉可能に取り付けられている。これにより、冷蔵室５の左側室５Ｎは、使用者が観音扉３を矢印Ｒ方向に回転することで開放でき、使用者が観音扉３を矢印Ｒ方向とは反対のＳ方向に回転することで閉じることができる。
【００１９】
左側面部３０は、外箱の面部３６と内箱の面部３７を有しており、外箱の面部３６と内箱の面部３７の間には、真空断熱材３５が配置されている。
【００２０】
次に、図２に示す左側の観音扉３の構造例を説明する。
【００２１】
図１に示左右の観音扉３，４は、プラスチック製である。図２に示す左側の観音扉３は、板材の外面部４０と、樹脂成型部品３５を有している。この樹脂成型部品３５は、内面部４１と、左右の扉キャップ４２，４３、上側の扉キャップ４４と、そして下側の扉キャップ部４５を有している。観音扉３の外面部４０と樹脂成型部品３５とで形成されている内部空間には、観音扉３の断熱性を上げるために、例えば発砲ポリスチレン等の断熱材４６が充填されている。
【００２２】
図３は、図２に示す観音扉３をＲ方向に開けて、観音扉３の内部側を見た斜視図である。図３では、観音扉３が開いていることから、冷蔵室５の左側室５Ｎが開放されている。
【００２３】
図２と図３に示すように、観音扉３の樹脂成型部品３５の内面部４１には、左右のスロート部５０，５１が設けられている。このスロート部５０，５１は、ポケット部６０を着脱可能に固定する部分であり、スロート部５０，５１は、例えば内面部４１の下側部分に位置されている。一方のスロート部５０は、図３において観音扉３を開けた状態では、左側に位置され、他方のスロート部５１は、図３において右側に位置されている。これらのスロート部５０，５１は、食品等の収容物を保持するためのポケット部６０を、着脱可能に固定するようになっている。
【００２４】
図２と図３に示すように、スロート部５０，５１は、成形しやすいプラスチック材、例えばポリプロピレンにより、観音扉３の内面部４１において一体成形されている。スロート部５０，５１は、Ｚ方向（垂直方向）に沿って縦長に形成されている内部空間を有しており、しかもＹ方向（奥行方向）に向けて、すなわち図２に示す観音扉３を閉じた状態では、冷蔵室５の左側室５Ｎ側に向けて突き出して形成されている。
【００２５】
これに対して、図２と図３に示すポケット部６０は、スロート部５０，５１に比べて固いプラスチック材、例えば透明のポリスチレンにより作られている容器である。
【００２６】
図２と図３に示すポケット部６０は、前面部６１と、左右の側面部６２，６３と、後面部６４と、底面部６５を有しており、ポケット部６０は上部が開放されている例えば透明の容器である。ポケット部６０の側面部６２，６３には、それぞれ凹型の固定部分６６，６７が設けられており、固定部分６６，６７は、それぞれスロート部５０，５１に受けることで、ポケット部６０の後面部６４と固定部分６６，６７は、観音扉３の内面部４１とスロート部５０，５１に対して、密着して着脱可能に固定することができる。
【００２７】
図２の実線と図３の破線で示すように、スロート部５０の内部には、例えば鉄のような金属製の補強部材７０が固定されている。同様にして、スロート部５１の内部には、例えば鉄のような金属製の補強部材７１が固定されている。これらの補強部材７０，７１は、図２に例示するように、例えば断面Ｕ字型の部材であり、補強部材７０，７１の長手方向が、Ｚ方向に沿うようにそれぞれスロート部５０，５１内に、例えば上端の固定部材と下端の固定部材を用いて固定されている。これにより、金属製の補強部材７０，７１は、観音扉３の外側はもちろんのこと、冷蔵室５の左側室５Ｎ側にも露出しないように、完全にスロート部５０，５１により覆われている。
【００２８】
このように、観音扉３の庫内側には、スロート部５０，５１が形成され、これらのスロート部５０，５１は、ポケット部６０を固定するための固定部分６６，６７を有しており、これらのスロート部５０，５１は、補強部材７０，７１によりそれぞれ補強されていることにより、機械的強度が増強されている。
【００２９】
これにより、冷蔵庫１を運転している時に観音扉３の庫内側は冷却されることにより、冷蔵庫１の冷蔵室５の左側室５Ｎ内の温度と冷蔵庫の外側の温度との間には差が生じて、観音扉３の庫内側の樹脂成型部品３５が収縮を起こす。しかし、上述したように、観音扉３の庫内側のスロート部５０，５１内には、補強部材７０，７１がそれぞれ固定され、スロート部５０，５１は、補強部材７０，７１によりそれぞれ補強されていることにより、機械的強度が増強されている。
【００３０】
従って、観音扉３の庫内側と観音扉３の外側との間の温度差により、観音扉３が反り現象を起こそうとしても、補強部材７０，７１がその観音扉３の反りの発生を抑制することができる。このことから、観音扉３が変形するのを抑制できるので、観音扉３のガスケットに隙間が生じることが無くなる。
【００３１】
しかも、金属製の補強部材７０，７１は、観音扉３の外側はもちろんのこと、冷蔵室５の左側室５Ｎ側にも露出しないように、完全にスロート部５０，５１により覆われている。すなわち、補強部材７０，７１は、補強板のような部材を用いることができるが、スロート部５０，５１内に固定されており、補強部材７０，７1の固定位置は、観音扉３を閉じた時に、庫内から外側には出ない構造である。
【００３２】
これにより、金属製の補強部材７０，７１は外部に露出することが全く無い構造を採用している。このため、金属製の補強部材７０，７１を設けても、従来生じていた観音扉３の外側における露付きの発生を防止することができる。
【００３３】
さらに、ポケット部６０に食品等の物品を載せてポケット部６０に負荷が掛かっても、スロート部５０，５１の機械的強度が、補強部材７０，７１により補強されているので、樹脂成型部品３５の変形を抑制できる。従って、スロート部５０，５１における物品保持部であるポケット部６０の機械的強度を上げることができるので、ポケット部６０における物品の収容量を上げることができる。
【００３４】
以上説明したように、本発明の実施形態の冷蔵庫１は、収容室を有する本体２と、例えば収容室を閉鎖する観音扉３を有する冷蔵庫であって、観音扉３の内側に物品保持部（ポケット部６０）を固定するためのスロート部５０，５１を有する樹脂成型部品３５と、観音扉３の内側に配置されて、部品保持部（ポケット部６０）を固定するスロート部５０，５１に設けられた補強部材７０，７１と、を有する。これにより、観音扉３の樹脂成型部品の収縮による変形を抑制しながら、観音扉３の外側部分に熱伝導による露付き現象が発生してしまうのを防止できる。
【００３５】
補強部材７０，７１は、観音扉３の内側のスロート部の内部に固定されているので、補強部材７０，７１は観音扉３の外観面には接していないので、観音扉３の外側部分に熱伝導による露付き現象が発生してしまうのを確実に防止できる。
【００３６】
補強部材７０，７１は、物品保持部（ポケット部６０）に食品等の物品を載せた時のスロート部５０，５１の変形を抑制するために、上下方向（Ｚ方向）に配置されているので、補強部材７０，７１は、スロート部５０，５１における物品保持部（ポケット部６０）の機械的強度を上げることができることから、物品保持部（ポケット部６０）の物品の収容量を上げることができる。
【００３７】
特に、図１に示すように、観音扉３の前面に操作部２０が設けられていると、観音扉３の内部には断熱材を配置しにくい部分が生じるおそれがあることから、観音扉２０が変形しやすいおそれがあるが、本発明の実施形態の冷蔵庫１では、強化部材である補強部材７０，７１が、観音扉３の内側に配置されており、補強部材７０，７１が、部品保持部（ポケット部６０）を固定するスロート部５０，５１に固定されている。このため、観音扉３の内部には断熱材を配置しにくい部分が生じるおそれがあったとしても、補強部材７０，７１の存在により、観音扉２０の変形を防ぐことができる。
【００３８】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３９】
図示例では、冷蔵庫１の左側の観音扉３の好ましい構造例を説明したが、これに限らず、図１に示す右側の観音扉４の構造は、必要に応じて、左側の観音扉３の構造と同様に、補強部材を用いて補強することができる。
【００４０】
また、図１に示す冷蔵庫１の観音扉３，４と、引出し式扉７ａ、８ａ、９ａ、１０ａの配置例に限らない。
【符号の説明】
【００４１】
１      冷蔵庫
３      観音扉（扉）
４      観音扉（扉）
５      冷蔵室（収容室の例）
７ａ、８ａ、９ａ、１０ａ  引出し式扉
３５    樹脂成型部品
５０，５１  スロート部
６０    ポケット部（物品保持部）
７０，７１  補強部材
【図１】
2014231973.tif 000003
【図２】
2014231973.tif 000004
【図３】
2014231973.tif 000005